(57)【特許請求の範囲】
【請求項１】
建築物の躯体の窓開口部に窓枠により保持され、上辺部、下辺部、右辺部、左辺部を有すると共に開閉手段を有する矩形ないし方形の窓、
上額縁部、下額縁部、右額縁部、左額縁部を有し、前記窓枠の周囲に設けられて、前記窓枠を支持する額縁、および
前記窓の窓本体と間隔を隔てて対向するように前記建築物の屋内側に配設され、前記額縁部に支持される矩形ないし方形の遮蔽部材を含み、
前記窓と前記遮蔽部材の間の空間領域に断熱層を設けるようにした断熱性を有する窓の遮蔽構造であって、
前記遮蔽部材は、固定手段と、着脱自在辺部と、開口部端縁とを有し、部材本体の上辺部、下辺部、右辺部、左辺部の内の３つの辺部は、それぞれ、前記額縁部の上額縁部、下額縁部、右額縁部、左額縁部の内の３つの額縁部に固定手段で取付けられる固定辺部として形成され、前記遮蔽部材の他の１つの辺部は、前記額縁部の他の１つの額縁部に着脱自在に取付けられる着脱自在辺部として形成され、
前記遮蔽部材は、さらに前記開口部端縁を密封可能に開閉自在とする遮蔽部材開閉手段を含むことを特徴とする、断熱性を有する窓の遮蔽構造。
【請求項２】
前記遮蔽部材の開口部端縁は、前記１つの着脱自在辺部と、前記着脱自在辺部に対向する前記固定辺部との間に直線状に配設され、且つ、前記開口部端縁は、前記窓の開閉手段を露出させる部位に対応して配設されている、請求項１に記載の断熱性を有する窓の遮蔽構造。
【請求項３】
前記遮蔽部材は、前記遮蔽部材の前記上辺部、前記右辺部および前記左辺部が前記固定辺部として形成され、前記下辺部が着脱自在辺部として形成され、前記遮蔽部材の開口部端縁は、その一端が前記遮蔽部材の上辺部側に、その他端が前記遮蔽部材の下辺部側に延びるように、前記遮蔽部材の右辺部および左辺部間の略中央に直線状に配設され、且つ、前記開口部端縁は、前記窓の開閉手段を露出させる部位に対応していることを特徴とする、請求項１または請求項２に記載の断熱性を有する窓の遮蔽構造。
【請求項４】
前記額縁の前記上額縁部および前記下額縁部間の長さ、および／または、前記額縁の前記右額縁部および前記左額縁部間の長さに対応して、前記遮蔽部材の前記上辺部および前記下辺部間の長さ、および／または、前記遮蔽部材の前記右辺部および前記左辺部間の長さを調整可能とする長さ調整手段をさらに含むことを特徴とする、請求項１から請求項３のいずれか１項に記載の断熱性を有する窓の遮蔽構造。
【請求項５】
前記額縁に前記遮蔽部材を支持させる前記固定手段の支持機能を補強する補強部材をさらに含む、請求項１から請求項４のいずれか１項に記載の断熱性を有する窓の遮蔽構造。
【請求項６】
前記遮蔽部材は、プラスチック材料で形成され、前記遮蔽部材開閉手段は、プラスチックファスナーで形成される、請求項１から請求項５のいずれか１項に記載の断熱性を有する窓の遮蔽構造。
【請求項７】
前記プラスチックファスナーは、レール型のスライドファスナーを含む、請求項６に記載の断熱性を有する窓の遮蔽構造。
【発明の詳細な説明】
【技術分野】
【０００１】
本発明は、「断熱性を有する窓の遮蔽構造」に関し、例えば、引き違いのアルミサッシの窓（掃き出し窓、腰窓等）に適用されて好適な「断熱性を有する窓の遮蔽構造」に関するものである。
【背景技術】
【０００２】
従来から、ガラス窓に直接またはその周辺に取付け可能な遮光性、断熱性を有するシートが存在する。
従来技術に係る断熱部材においては、例えば、特開２０００−５０４７号公報（特許文献１）のように、「内部にほぼ均等に断熱層を設け得るように、プラスチックのシート材を二枚合わせにして周囲で接着するとともに、部分的に散在して止めることにより、断熱部材を構成し、断熱部材には周囲にタイト縁を突設し、一部に断熱材を入れる栓を設け、さらに裏側に部分的に窓ガラスに止める止め具を取り付けた」窓用の断熱部材が挙げられる。
また、特開２００６−１５８５５９号公報（特許文献２）のように、「カーテンレールに吊設して窓ガラスを遮光するレースのカーテンに撥水性を有したビニル面を備えたビニルカーテンであって、カーテンレールに吊設して窓ガラスを遮光するレースによる遮光用カーテンを有し、このカーテンレールに吊設されて１枚の大きなビニルからなり遮光用カーテンと窓ガラスとの間に介在して窓ガラスを区切ることでこの窓ガラスとの間に熱の移動が少ない空気層を形成して断熱性を向上させるビニルカーテンを備えた」ビニルカーテンが挙げられる。
【先行技術文献】
【特許文献】
【０００３】
【特許文献１】特開２０００−５０４７号公報
【特許文献２】特開２００６−１５８５５９号公報
【発明の概要】
【発明が解決しようとする課題】
【０００４】
「特開２０００−５０４７号公報（特許文献１）の窓用の断熱部材」においては、吸盤、マグネット等の止め具を用いて直接窓ガラスに遮蔽部材を止めて使用するので、「遮蔽性は確保」した反面、窓を開閉する際に、遮蔽部材の裏側に設けた止め具に相当する吸盤、マグネット等を窓から外す際の「手間と時間を要する」問題があった。
「特開２００６−１５８５５９号公報（特許文献２）のビニルカーテン」においては、断熱部材をカーテンレールに吊設させたため、窓を開閉する際に、「手間と時間を要しない」反面、カーテンレールに吊設させたことによる窓ガラスとビニルカーテンとの間に生じた隙間から空気層に蓄積された熱が放熱されることによる「断熱性の確保」の問題があった。
【０００５】
本発明は、上記従来の問題点を解決するもので、その目的は、断熱性を有する窓の遮蔽構造において「断熱性を確保」すると共に、窓の開閉を「手間を掛けることなく簡便に」行うことができる、断熱性を有する窓の遮蔽構造を提供することにある。
【課題を解決するための手段】
【０００６】
本発明に係る断熱性を有する窓の遮蔽構造は、建築物の躯体の窓開口部に窓枠により保持され、上辺部、下辺部、右辺部、左辺部を有すると共に開閉手段を有する矩形ないし方形の窓、上額縁部、下額縁部、右額縁部、左額縁部を有し、窓枠の周囲に設けられて、窓枠を支持する額縁、および窓の窓本体と間隔を隔てて対向するように建築物の屋内側に配設され、額縁部に支持される矩形ないし方形の遮蔽部材を含み、窓と遮蔽部材の間の空間領域に断熱層を設けるようにした断熱性を有する窓の遮蔽構造であって、遮蔽部材は、固定手段と、着脱自在辺部と、開口部端縁とを有し、部材本体の上辺部、下辺部、右辺部、左辺部の内の３つの辺部は、それぞれ、額縁部の上額縁部、下額縁部、右額縁部、左額縁部の内の３つの額縁部に固定手段で取付けられる固定辺部として形成され、遮蔽部材の他の１つの辺部は、額縁部の他の１つの額縁部に着脱自在に取付けられる着脱自在辺部として形成され、遮蔽部材は、さらに開口部端縁を密封可能に開閉自在とする遮蔽部材開閉手段を含むことを特徴とする、断熱性を有する窓の遮蔽構造である。
【０００７】
本発明に係る窓の遮蔽構造においては、窓と遮蔽部材との空間領域に設けた断熱層に熱が蓄積される。遮蔽部材の表面上に設けた開閉手段により、遮蔽部材が左右に大きく開く。
【０００８】
また、本発明に係る窓の遮蔽構造は、例えば
前記遮蔽部材の開口部端縁は、前記１つの着脱自在辺部と、前記着脱自在辺部に対向する前記固定辺部との間に直線状に配設され、且つ、前記開口部端縁は、前記窓の開閉手段を露出させる部位に対応して配設されている、窓の遮蔽構造であってもよい。
【０００９】
また、本発明に係る本発明に係る窓の遮蔽構造は、例えば
前記遮蔽部材は、前記遮蔽部材の前記上辺部、前記左辺部および前記右辺部が前記固定辺部として形成され、前記下辺部が着脱自在辺部として形成され、前記遮蔽部材の開口部端縁は、その一端が前記遮蔽部材の上辺部側に、その他端が前記遮蔽部材の下辺部側に延びるように、前記遮蔽部材の左辺部および右辺部間の略中央に直線状に配設され、且つ、前記開口部端縁は、前記窓の開閉手段を露出させる部位に対応していることを特徴とする、窓の遮蔽構造であってもよい。
【００１０】
また、本発明に係る窓の遮蔽構造は、例えば
前記額縁の前記上額縁部および前記下額縁部間の長さ、および／または、前記額縁の前記右額縁部および前記左額縁部間の長さに対応して、前記遮蔽部材の前記上辺部および前記下辺部間の長さ、および／または、前記遮蔽部材の前記右辺部および前記左辺部間の長さを調整可能とする長さ調整手段をさらに含むことを特徴とする、窓の遮蔽構造であってもよい。
【００１１】
また、本発明に係る窓の遮蔽構造は、例えば
前記額縁に前記遮蔽部材を支持させる前記固定手段の支持機能を補強する補強部材をさらに含む、窓の遮蔽構造であってもよい。
【００１２】
また、本発明に係る窓の遮蔽構造は、例えば
前記遮蔽部材は、プラスチック材料で形成され、前記遮蔽部材開閉手段は、プラスチックファスナーで形成される、窓の遮蔽構造であってもよい。
【００１３】
また、本発明に係る窓の遮蔽構造は、例えば
前記プラスチックファスナーは、レール型のスライドファスナーを含む、窓の遮蔽構造であってもよい。
【発明の効果】
【００１４】
本発明によれば、「断熱性を有する窓の遮蔽構造」において、窓と遮蔽部材との空間領域に断熱層を設けたため「断熱性を確保」すると共に、遮蔽部材の表面上に開閉手段を設けたため、窓の開閉を「手間を掛けることなく簡便に」行うことができる、「断熱性を有する窓の遮蔽構造」を得ることができる。
【図面の簡単な説明】
【００１５】
【図１】実施の形態１に係る遮蔽部材を取付けた状態における「断熱性を有する窓の遮蔽構造」を説明するための断面図である。
【図２】実施の形態１に係る遮蔽部材を取付けた状態を説明するための正面図である。
【図３】実施の形態１に係る遮蔽部材を取付ける前の状態を説明するための外観斜視図である。
【図４】固定テープ１６と接着テープ１７の剥離紙１７ｃを剥がして上額縁部２０ａに対して取り付ける工程を示す断面図である。
【図５】（Ａ）は、遮蔽部材を取付ける前の状態を説明するための要部外観斜視図である。（Ｂ）は、遮蔽部材を取付けた後の状態を説明するための要部外観斜視図である。
【図６】実施の形態１に係る遮蔽部材のファスナーが閉じた状態を説明するための正面図である。
【図７】シート本体の第１のシート片および第２のシート片を示す平面図である。
【図８】（Ａ）は、図７に示すシート本体の対向する第１のシート片および第２のシート片の開口部端縁に、それぞれ、第１レールの左側レールおよび第２レールの右側レールを形成した状態を示す平面図であり、（Ｂ）は、（Ａ）の線Ｂ−Ｂにおける端面図である。
【図９】（Ａ）は、図８に示す第１のシート片の第１レールの左側レールおよび第２のシート片の第２レールの右側レール間に、連結部およびスライダーを取り付けた状態を示す平面図であり、（Ｂ）は、その連結部およびスライダーを取り付ける工程の一例を示す要部拡大平面図である。
【図１０】（Ａ）は、図８に示す第１のシート片の第１レールの左側レールおよび第２のシート片の第２レールの右側レール間に、連結部およびスライダーを取り付けた状態を示す平面図であり、（Ｂ）は、（Ａ）の線Ｂ−Ｂにおける端面図である。
【図１１】実施の形態１に係る遮蔽部材のファスナーのスライダーをレールに沿って移動させ、実施の形態１に係る「断熱性を有する窓の遮蔽構造」における遮蔽部材を開いていく状態を説明するための図であって、（Ａ）は要部正面図であり、（Ｂ）はファスナーを開いた状態の要部正面図であり、（Ｃ）はその要部外観斜視図であり、（Ｄ）は（Ａ）の線Ｄ−Ｄの要部拡大端面図である。
【図１２】実施の形態１に係る遮蔽部材のファスナーが開いた状態を説明するための正面図である。
【図１３】実施の形態１の変形例１に係る遮蔽部材のファスナーが開いた状態を説明するための正面図である。
【図１４】実施の形態１の変形例２に係る遮蔽部材のファスナーが開いた状態を説明するための正面図である。
【図１５】実施の形態１の変形例３に係る遮蔽部材のファスナーが開いた状態を説明するための正面図である。
【図１６】実施の形態２に係る遮蔽部材を取付けた後の状態を説明するための要部断面図である。
【図１７】実施の形態３に係る遮蔽部材を取付けた後の状態を説明するための要部断面図である。
【図１８】図９および図１０に示す連結部の他の例を示し、且つ、当該他の連結部を取り付ける工程の一例を示す要部拡大平面図である。
【図１９】図９および図１０に示す連結部のさらに他の例を示し、且つ、当該さらに他の連結部を取り付ける工程の一例を示す要部拡大平面図である。
【発明を実施するための形態】
【００１６】
以下、添付図面を参照して本願発明の実施の形態について説明し、本願発明の理解に供する。
なお、本願発明に係る「断熱性を有する窓の遮蔽構造」は、窓枠３２により保持され、窓３０の戸における窓３０の上辺部３０ａ、窓３０の下辺部３０ｂ、窓３０の右辺部３０ｃ、窓３０の左辺部３０ｄを有すると共に開閉手段を有する矩形ないし方形の「窓３０」と、上額縁部２０ａ、下額縁部２０ｂ、右額縁部２０ｃ、左額縁部２０ｄを有し、窓枠３２を支持する「額縁２０」と、および窓３０の窓本体と間隔を隔てて対向するように建築物の屋内側に配設され、額縁部２０に支持される矩形ないし方形の「遮蔽部材１０」と、を含み、窓３０と遮蔽部材１０の間の空間領域に設けた「断熱層４０」と、を設けたものである。なお、上記「遮蔽部材１０」は、主要部材としての「シート本体１１」を含む。
さらに、本願発明に係る「断熱性を有する窓の遮蔽構造」は、上記「シート本体１１」の上辺部１０ａ、下辺部１０ｂ、右辺部１０ｃ、左辺部１０ｄの内の３つの辺部は、それぞれ、額縁部２０の上額縁部２０a、下額縁部２０b、右額縁部２０ｃ、左額縁部２０ｄの内の３つの額縁部に、固定手段である「固定テープ１６」で取付けられる固定辺部として形成され、遮蔽部材１０の他の１つの辺部は、額縁部２０の他の１つの額縁部に固定手段である「面ファスナー１８」で着脱自在に取付けられる着脱自在辺部として形成され、遮蔽部材１０は、「第１の開口部端縁１１ａ及び第２の開口部端縁１１ｂ」と、第１の開口部端縁１１ａ、１１ｂを密封可能に開閉自在とする遮蔽部材開閉手段である「レール型のスライドファスナー１２」を含む。
【００１７】
（実施の形態１）
（実施の形態１に係る「断熱性を有する窓の遮蔽構造」）
図１は、実施の形態１に係る「断熱性を有する窓の遮蔽構造」における遮蔽部材１０を取付けた状態における窓の遮蔽構造を示す断面図である。
図２は、実施の形態１に係る「断熱性を有する窓の遮蔽構造」における遮蔽部材１０を取付けた状態の正面図である。
図３は、実施の形態１に係る遮蔽部材を取付ける前の状態を説明するための外観斜視図である。
図４は、固定テープ１６と接着テープ１７の剥離紙１７ｃを剥がして上額縁部２０ａに対して取り付ける工程を示す断面図である。
【００１８】
以下、図１と図２と図３と図４を参照して、実施の形態１に係る「断熱性を有する窓の遮蔽構造」における遮蔽部材を取付けた状態と実施の形態１に係る「断熱性を有する窓の遮蔽構造」について説明する。
【００１９】
実施の形態１に係る「断熱性を有する窓の遮蔽構造」は、窓枠３２により保持され、窓３０の戸における窓３０の上辺部３０ａ、窓３０の下辺部３０ｂ、窓３０の右辺部３０ｃ、窓３０の左辺部３０ｄを有すると共に開閉手段を有する矩形ないし方形の「窓３０」と、上額縁部２０ａ、下額縁部２０ｂ、右額縁部２０ｃ、左額縁部２０ｄを有し、窓枠３２を支持する「額縁２０」と、および窓３０の窓本体と間隔を隔てて対向するように建築物の屋内側に配設され、額縁部２０に支持される矩形ないし方形の「遮蔽部材１０」と、を含み、窓３０と遮蔽部材１０の間の空間領域に設けた「断熱層４０」と、を設けたものである。なお、上記「遮蔽部材１０」は、主要部材としての「シート本体１１」を含む。
さらに、実施の形態１に係る「断熱性を有する窓の遮蔽構造」は、上記「シート本体１１」の上辺部１０ａ、右辺部１０ｃ、左辺部１０ｄの３つの辺部は、それぞれ、額縁部２０の上額縁部２０a、右額縁部２０ｃ、左額縁部２０ｄの３つの額縁部に、固定手段である「固定テープ１６」で取付けられる固定辺部として形成され、遮蔽部材１０の他の１つの辺部である下辺部１０ｂは、額縁部２０の他の１つの額縁部である下額縁部２０ｂに固定手段である「面ファスナー１８」で着脱自在に取付けられる着脱自在辺部として形成され、遮蔽部材１０は、「第１の開口部端縁１１ａ及び第２の開口部端縁１１ｂ」と、第１の開口部端縁１１ａ、１１ｂを密封可能に開閉自在とする遮蔽部材開閉手段である「レール型のスライドファスナー１２」を含む。
【００２０】
「窓３０」は室内から見た方向において、左側の戸すなわち「左窓」と右側の戸すなわち「右窓」、との２つの窓を有する。
「窓３０」に存在する戸を閉じた状態において、「左窓に存在する戸の縦框」と「右窓に存在する戸の縦框」とが重なる境界線状に窓の開閉手段が形成されている。
実施の形態１において「窓３０」の形状は、「掃き出し窓」を用いているが、「腰窓」にも用いられる。
【００２１】
「額縁２０」は、上額縁部２０ａ、下額縁部２０ｂ、右額縁部２０ｃ、左額縁部２０ｄに分類される。前記各額縁２０は、「額縁主面２２」と額縁主面２２に直交し、室内側に位置する「額縁端面２４」を有し、「額縁主面２２」は「額縁端面２４」に比べて面積比が大きい。具体的に、額縁２０において「額縁主面２２」とは、天井方向の面、床方向の面、左右側面方向の面のことをいい、「額縁端面２４」とは、室内方向の面のことをいい、窓枠３２に沿って額縁状に形成し、シート本体１１を貼付する。額縁２０は、窓３０と室内との間に、後述する断熱層４０を形成するための一定幅の奥行きを備える。額縁２０の種類としては敷居、鴨居、窓台などが挙げられる。
後述するように、実施の形態１に係る「断熱性を有する窓の遮蔽構造」において、遮蔽部材１０の外周端縁の近傍は上額縁部２０ａ、下額縁部２０ｂ、右額縁部２０ｃ、左額縁部２０ｄにおける各額縁の額縁端面２４に全面的に接着された密閉された構造となる。
【００２２】
「シート本体１１」は、左窓領域に位置する「第１のシート本体」と右窓領域に位置する「第２のシート本体」とから形成される。
「第１のシート本体」は、一部に下記の「第１のシート片１１Ａ」を含む。
「第２のシート本体」は、一部に下記の「第２のシート片１１Ｂ」を含む。
「第１のシート片１１Ａおよび第２のシート片１１Ｂ」は、断熱性を有し、比較的柔軟な例えば、ポリエチレンから形成される。一対の「第１のシート片１１Ａ」と「第２のシート片１１Ｂ」は、それぞれ、正面視長方形状であり、略々同形・同大である。この実施の形態においては、１枚あたりのシート片の大きさは、額縁２０の上から下に達する高さと額縁２０の幅の略々半分の幅を有する、縦２２５ｃｍ、横１００ｃｍである。
「シート本体１１」は、固定辺部である上辺部１０ａ、右辺部１０ｃ、左辺部１０ｄに添設される固定手段である「固定テープ１６」と、遮蔽部材１０の着脱自在辺部である下辺部１０ｂに添設される固定手段である「面ファスナー１８」と、遮蔽部材１０の上辺部１０ａの中央点と下辺部１０ｂの中央点を結ぶ位置に形成され、第１の開口部端縁１１ａと第２の開口部端縁１１ｂとを開閉自在とするためのシート本体１１の開閉手段である「レール型のスライドファスナー１２」と、が形成される。
【００２３】
「第１のシート本体」について説明する。
「第１のシート本体」は、「第１のシート片１１Ａ」に、第１のシート片１１Ａの固定辺部である上辺部１０１ａ、左辺部１０１ｄに添設される固定手段である「固定テープ１６」と、第１のシート片１１Ａの着脱自在辺部である下辺部１０１ｂに添設される固定手段である「面ファスナー１８」と、第１のシート片１１Ａの開口辺部１０１ｃに固着された「レール型のスライドファスナー１２」と、を形成したものである。
また、「第１のシート本体」は、「左窓」領域を遮蔽するように、第１のシート片１１Ａの上辺部１０１ａが上額縁部２０ａの額縁主面２２の外側の端縁に沿って又はそれより内側に、かつ上額縁部２０ａの主面２２の内側の端縁に沿って又はそれより内側に、額縁主面２２において直線状に伸びる中心線と平行になるように形成する。
「第１のシート片１１Ａ」は、直線状の「上辺部１０１ａ」と、上辺部１０１ａとは直交する直線状の「左辺部１０１ｄ」と、上辺部１０１ａとは平行で左辺部１０１ｄとは直交する直線状の「下辺部１０１ｂ」と、上辺部１０１ａとは直交する直線状の「開口辺部１０１ｃ」とを有する。
なお、「上辺部１０１ａ」と「下辺部１０１ｂ」とは平行であり、上辺部１０１ａの左端から下方に伸びる「左辺部１０１ｄ」と上辺部１０１ａの右端から下方に伸びる「開口辺部１０１ｃ」とは平行である。
【００２４】
「第２のシート本体」について説明する。
「第２のシート本体」は、「第２のシート片１１Ｂ」に、第２のシート片１１Ｂの固定辺部である上辺部１１０ａ、右辺部１１０ｃに添設される固定手段である「固定テープ１６」と、第２のシート片１１Ｂの着脱自在辺部である下辺部１１０ｂに添設される固定手段である「面ファスナー１８」と、第２のシート片１１Ｂの開口辺部１１０ｄに固着された「レール型のスライドファスナー１２」と、を形成したものである。
また、「第２のシート本体」は、「右窓」領域を遮蔽するように、第２のシート片１１Ｂの上辺部１１０ａが上額縁部２０ａの額縁主面２２の外側の端縁に沿って又はそれより内側に、かつ上額縁部２０ａの額縁主面２２の内側の端縁に沿って又はそれより内側に、額縁主面２２において直線状に伸びる中心線と平行になるように形成する。
「第２のシート片１１Ｂ」は、直線状の「上辺部１１０ａ」と、上辺部１１０ａと直交する直線状の「右辺部１１０ｃ」と、上辺部１１０ａとは平行で右辺部１１０ｃとは直交する直線状の「下辺部１１０ｂ」と、上辺部１１０ａと直交する直線状の「開口辺部１１０ｄ」とを有する。
なお、「上辺部１１０ａ」と「下辺部１１０ｂ」とは平行であり、上辺部１１０ａの左端から下方に伸びる「開口辺部１１０ｄ」と上辺部１１０ａの右端から下方に伸びる「右辺部１１０ｃ」とは平行である。
また、「開口辺部１１０ｄ」と「開口辺部１０１ｃ」は、「レール型のスライドファスナー１２」を直線状に伸びるように取り付けられる端縁である。
【００２５】
なお、実施の形態１に係る「断熱性を有する窓の遮蔽構造」において、「第１のシート片１１Ａ」と「第２のシート片１１Ｂ」の材料は、上記ポリエチレンの他に、その他プラスチックフィルム、不織布、紙などを用いてもよい。また、窓３０の大きさに対応してシート本体１１の数または大きさを変更してもよい。例えば、シート本体１１の数を２枚、３枚にしたり、大きさを縦１５０ｃｍ、横２００ｃｍにしてもよい。また、額縁の長さに対応して、シート本体１１の上辺部１０ａおよび下辺部１０ｂ間の長さ、および／または、シート本体１１の右辺部１０ｃおよび左辺部１０ｄ間の長さを調整可能とする例えば、面ファスナーなどの長さ調整手段を有するものでもよい。
【００２６】
「固定テープ１６」は、基材１６ａの両面に粘着剤層１６ｂを均一に塗工し、粘着剤層１６ｂの表面上に剥離紙１６ｃを形成したものである。粘着度は着脱困難性を有する程度の建築用途向けものを用いる。
「固定テープ１６」は、予め、一方の「第１のシート片１１Ａ」の上辺部１０１ａと、左辺部１０１ｄ、開口辺部１０１ｃの表面上に、また、他方の「第２のシート片１１Ｂ」の上辺部１１０ａと、右辺部１１０ｃ、開口辺部１１０ｄの表面上に、それぞれ「固定テープ１６」の一方面の粘着剤層１６ｂで接着させ、他方面の粘着剤層１６ｂは剥離紙１６ｃを剥がした後に、額縁２０における上額縁部２０ａ、下額縁部２０ｂ、右額縁部２０ｃ、左額縁部２０ｄに接着させる。
この実施の形態においては、図４において示すように、固定テープ１６は、固定テープの基材１６ａの一方及び他方面に形成された固定テープの接着剤層１６ｂの表面に固定テープの剥離紙１６ｃが仮着されており、第１のシート片１１Ａと額縁２０の額縁端面２４とを接着するとき及び第２のシート片１１Ｂと額縁２０の額縁端面２４とを接着するときにおいては、固定テープの剥離紙１６ｃを剥離して固定テープの接着剤層１６ｂを露出させて、第１のシート片１１Ａ及び第２のシート片１１Ｂの表面と額縁２０の額縁端面２４との間に介在させて接着する。
その結果、固定テープ１６は、「シート本体１１」を、額縁２０の上額縁部２０ａ、右額縁部２０ｃ、左額縁部２０ｄの額縁端面２４に留め付けることになり、額縁２０の表面上に生じる凹凸などのシート本体１１と額縁２０との隙間から生じる通気性を封じ、本発明である「断熱性を有する窓の遮蔽構造」における断熱層４０内部の気密性を保つことになる。
「上額縁部２０ａ」において、「シート本体１１の一方の面」は「固定テープ１６」を介して上額縁部２０ａの額縁端面２４側を支持するのに対し、「シート本体１１の他方の面」は上額縁部２０ａの額縁主面２２と貼付関係にある補強部材である「接着テープ１７」によって上額縁部２０ａの額縁端面２４側を支持する。
この実施の形態においては、図４において示すように、接着テープ１７は、接着テープの基材１７ａの一方面に接着テープの接着剤層１７ｂが形成され、接着テープの接着剤層１７ｂの表面に接着テープの剥離紙１７ｃが仮着されている。
接着テープの剥離紙１７ｃは、上半分（右半分又は左半分）と下半分（右半分又は左半分）とを分離して接着テープの接着剤層１７ｂより剥離できるように、幅方向における中央において長手方向にのびるスリットで区分けされている。
接着テープ１７は、下半分（右半分又は左半分）の接着テープの剥離紙１７ｃを接着テープの接着剤層１７ｂより剥離して下半分（右半分又は左半分）の接着テープの接着剤層１７ｂを露出させ、露出した接着テープの接着剤層１７ｂを、額縁２０の額縁端面２４に接着された第１のシート片１１Ａ及び第２のシート片１１Ｂの表面に重ねて接着し、次に、額縁２０の額縁主面２２と額縁端面２４との境界である角部において、接着テープの基材１７ａを折り曲げ、額縁２０の額縁主面２２側に向ける。
そして、接着テープの剥離紙１７ｃの上半分（右半分又は左半分）を接着テープの接着剤層１７ｂより剥離して、接着テープの接着剤層１７ｂを露出させ、額縁２０の額縁主面２２の表面に接着テープの接着剤層１７ｂを重ね合わせて、接着テープ１７を接着する。
なお、実施の形態１において、固定テープ１６の種類は、建築用途以外で用いられるものでも良い。また、粘着度は着脱可能性を有するものでもよい。また、「補強部材」として、固定テープ１６、接着テープ１７の他に「画鋲４２」を用いてもよく、額縁２０の額縁主面２２と額縁端面２４の方向にシート本体１１を付勢するように「コの字型」の弾性体の「補強部材４４」を用いてもよい。
【００２７】
「面ファスナー１８」は、シート本体１１の下辺部１０ｂを、額縁２０の下額縁部２０ｂの額縁端面２４に留め付けるために用いられる。
面ファスナー１８は、面的に着脱できるファスナー１２であり、マジックテープ（登録商標）と呼ばれるものである。面ファスナー１８は、フック１８ａ状に起毛された側の「フック１８ａ」と、ループ１８ｂ状に密集して起毛された側の「ループ１８ｂ」と、から形成される。フック１８ａをループ１８ｂに対して押し付けるだけで貼り付くようになっており、貼り付けたり剥がしたりすることが可能な仕組みになっている。すなわち、フック１８ａとループ１８ｂとが係合したり脱係したりすることができる構造となっている。
「下額縁部２０ｂ」において、シート本体１１の一方の表面上に形成したフック１８ａを下額縁部２０ｂの表面上に形成したループ１８ｂに押し付けることにより、フック１８ａとループ１８ｂが貼り付く。その結果、シート本体１１と下額縁部２０ｂが面ファスナー１８を介して結合することになる。
【００２８】
「レール型のスライドファスナー１２」は、本発明である「断熱性を有する窓の遮蔽構造」における断熱層４０内部の気密性を保ちつつ、かつ遮蔽部材１０のシート本体１１を左右への開閉を可能にするために用いられる。
「レール型のスライドファスナー１２」は、「レール５８」と、「フランジ５９」と、「第１の開口部端縁１１ａ、第２の開口部端縁１１ｂ」と、「スライダー５０」と、「連結部１４」と、「滑落防止テープ１５」と、から形成される。
【００２９】
「レール５８」は、「第１レールの左側レール５８ａ」と、「第２レールの右側レール５８ｂ」とが互いに平行でかつ直線状に隙間なく連結したものであり、シート本体１１の上辺部１０ａから下辺部１０ｂに垂直方向に上下に伸びている。
「フランジ５９」は、シート本体１１を載せる土台としての役割を果たす。
「フランジ５９」の室内側の面の表面上にシート本体１１を載せて溶着させることで、フランジ５９とシート本体１１とが互いに隙間なく結合される。フランジ５９の室内側の面は、垂直方向に伸びており、シート本体１１を垂直方向に展開する。
「第１の開口部端縁１１ａ、第２の開口部端縁１１ｂ」は、シート本体１１を左右に開くための分離端である。
「スライダー５０」は、レール５８上に設け、ファスナー１２を開閉するときにレール５８をかみ合わせる役目を有する。
【００３０】
「滑落防止テープ１５」は、スライダー５０がレール５８から滑落するのを防止するための発泡テープである断面略Ｕ字状のテープである。
「滑落防止テープ１５」は、連結部１４と同様に、スライダー５０がレール５８から抜けない役割を果たすものであるが、連結部１４とは異なりＵ字状で「レール５８」を挟み込む形で取り付けられ、レール５８上を自由に移動させることができ、スライダー５０がレール５８から滑落するのを防止する。
【００３１】
「第１の開口部端縁１１ａおよび第２の開口部端縁１１ｂ」は、シート本体１１を例えば図１２に示すように左右に開くための直線状の分離端として、遮蔽部材１０のシート本体１１の第１のシート片１１Ａおよび第２のシート片１１Ｂ同士が継ぎ合う端縁である。
「第１の開口部端縁１１ａおよび第２の開口部端縁１１ｂ」は、１つの着脱自在辺部である「下辺部１０ｂ」と着脱自在辺部である「下辺部１０ｂ」に対向する固定辺部である「上辺部１０ａ」との間において垂直直線状に配設され、且つ連結された第１の開口部端縁１１ａと第２の開口部端縁１１ｂは、窓３０に存在する左窓の戸の縦框と右窓の戸の縦框とが、重なる領域に沿って垂直方向に伸びて、窓３０の開閉手段である例えば鍵３１などを露出させる部位に対応して配設されている。
遮蔽部材１０において、「第１のシート片１１Ａの上辺部１０１ａ」と「第２のシート片１１Ｂの上辺部１１０ａ」が互いに平行になる位置に形成し、並びに、「第１のシート片１１Ａの左辺部１０１ｄ」と「第２のシート片１１Ｂの右辺部１１０ｃ」が互いに同じ長さで平行になる位置に形成される。そして、「第１のシート片１１Ａの開口辺部１０１ｃ」は、「第１のシート片１１Ａの左辺部１０１ｄ」と同じ長さで互いが平行になる位置に形成し、「第２のシート片１１Ｂの開口辺部１１０ｄ」は、「第２のシート片１１Ｂの右辺部１１０ｃ」と同じ長さで互いが平行になる位置に形成される。
その結果、「第１のシート片１１Ａの開口辺部１０１ｃ」と「第２のシート片１１Ｂの開口辺部１１０ｄ」とは、互い対向するように位置され、第１のシート片１１Ａと第２のシート片１１Ｂは、並列して、シート本体１１が形成されることになる。
第１の開口部端縁１１ａは、下記の開閉手段であるレール型のスライドファスナー１２によって、第１の開口部端縁１１ａと第２の開口部端縁１１ｂとが密封され、本発明の「断熱性を有する窓の遮蔽構造」における断熱層４０内部の気密性を保つ。
【００３２】
第１シート片１１Ａの右辺部１０１ｃに固着された、上向突条を有し噛合部を備えた「第１レールの左側レール５８ａ」と、第２シート片１１Ｂの左辺部１１０ｄに固着された、下向突条を有し噛合部を備えた「第２レールの右側レール５８ｂ」とは、第１シート片１１Ａの上辺部１０１ａ及び第２シート片１１Ｂの上辺部１１０ａ近傍において、連結部１４によって連結される。
実施の形態１に係る「断熱性を有する窓の遮蔽構造」において、「レール型のスライドファスナー１２」をシート本体１１に取り付ける際は、第１レールと第２レールとを連結した「連結部１４」より下方において、スライダー５０を下辺部１０ｂ側から上辺部１０ａ側に向けて移動させることでシート本体１１が開いていくように、「第１のシート片１１Ａ」の開口辺部１０１ｃの上端部と、「第２のシート片１１Ｂ」の開口辺部１１０ｄの上端部とを互いに連結させて、室内側に取り付ける。
「連結部１４」において、「第１のシート片１１Ａ」と「第２のシート片１１Ｂ」との上端部同士とを「テープで挟み込む」（図１８参照）又は、「ポイント溶着」（図１９参照）により、互いに連結させ、「第１レールの左側レール５８ａ」と、「第２レールの右側レール５８ｂ」とが、互いに連結する結果、本発明である「断熱性を有する窓の遮蔽構造」における断熱層４０内部の気密性を保つ。
この実施の形態においては、「ポイント溶着」とは、第１レールの左側レール５８ａの噛合部と第２レールの左側レール５８ｂの噛合部とを、噛み合わせ連結した状態において、加熱によるスポット溶着をして、第１レールの左側レール５８ａと第２レールの左側レール５８ｂとを連結して、第１のシート片１１Ａの上端と第２のシート片１１Ｂの上端とを連結している。
また、この実施の形態においては、「テープで挟み込む」とは、第１レールの左側レール５８ａの噛合部と第２レールの左側レール５８ｂの噛合部とを、噛み合わせ連結した状態において、裏面に粘着剤層を形成された粘着テープで第１レールの左側レール５８ａ及び第２レールの左側レール５８ｂの前面及び背面に接着して、第１レールの左側レール５８ａと第２レールの左側レール５８ｂとを連結して、第１のシート片１１Ａの上端と第２のシート片１１Ｂの上端とを連結している。
遮蔽部材１０のシート本体１１が開いた状態において、スライダー５０を操作することにより、「第１レールの左側レール５８ａ」の上向突条を有する噛合部と、「第２レールの右側レール５８ｂ」下向突条を有する噛合部との噛合部同士が噛み合い、ファスナー１２が閉まり始め、スライダー５０を連結部１４の位置まで移動させることにより、「気密状態を形成」する。これに対し、遮蔽部材１０のシート本体１１が閉じた状態において、スライダー５０を操作することにより「第１レールの左側レール５８ａ」と「第２レールの右側レール５８ｂ」が離れ合い、ファスナー１２が開き始め、スライダー５０を連結部１４の近傍の位置まで移動させることにより、遮蔽部材１０が左右に開かれる。
【００３３】
実施の形態１に係る「断熱性を有する窓の遮蔽構造」における「断熱層４０」は、窓３０と窓枠３２及び、上額縁部２０ａと下額縁部２０ｂと右額縁部２０ｃと左額縁部２０ｄと並びに、遮蔽部材１０とに囲まれた空間領域のことをいう。断熱層４０は遮蔽部材１０を備えたことにより、気密性を有する。
また、断熱層４０は、太陽からの熱が蓄積することになり、「寒い時期」においては、窓ガラスの表面に生じる結露に伴う水滴の発生の防止や、室温低下の防止になる。また、「真夏の時期」においては、室温上昇の防止になる。
【００３４】
なお、実施の形態１に係る「断熱性を有する窓の遮蔽構造」においては、シート本体１１の「左辺部１０ｄ」の内側に近い範囲内と、「右辺部１０ｃ」の内側に近い範囲内と、にそれぞれまたは、いずれか一方に、「レール型のスライドファスナー１２」を形成させてもよい。
即ち、第１のシート片１１Ａの左辺部「１０１ｄ」の内側に近い範囲内と、第２のシート片１１Ｂの右辺部「１１０ｃ」の内側に近い範囲内と、にそれぞれまたは、いずれか一方に、「レール型のスライドファスナー１２」を形成させてもよい。
シート本体１１の「左辺部１０ｄ」に「レール型のスライドファスナー１２」を形成させた場合は、「左窓」即ち、左辺部１０ｄ方向の窓を常に開閉する場合においては、実施の形態１に係る「断熱性を有する窓の遮蔽構造」に比べて、さらに窓の開閉を「手間を掛けることなく簡便に」行うことができる。
シート本体１１の「右辺部１０ｃ」に「レール型のスライドファスナー１２」を形成させた場合は、「右窓」即ち、右辺部１０ｃ方向の窓を常に開閉する場合においては、実施の形態１に係る「断熱性を有する窓の遮蔽構造」に比べて、さらに窓の開閉を「手間を掛けることなく簡便に」行うことができる。
また、実施の形態１に係る「断熱性を有する窓の遮蔽構造」において、「レール型のスライドファスナー１２」の形状は、「直線状」の他に、「Ｌ字型」、「四角形状」、「円形状」などあらゆる形状でもよい。また、「レール型のスライドファスナー１２」を形成する位置は、「窓３０の鍵および引き手」を開閉しやすい高さでもよい。さらに、「ファスナー１２」の種類は、プラスチック材料で形成された「プラスチックファスナー」や、歯車の原理でエレメント同士が互いにかみ合ったり、離れたりする「エレメント状のファスナー」でもよい。
また、実施の形態１に係る「断熱性を有する窓の遮蔽構造」においては、「レール型のスライドファスナー１２」をシート本体１１に取り付ける際は、「連結部１４」として、「シール」を用いて「第１のシート片１１Ａ」の開口辺部１０１ｃの上端部と、「第２のシート片１１Ｂ」の開口辺部１１０ｄの上端部とを互いに連結させたが、「シール」ではなく、「テープ部材」などでもよい。
さらに、実施の形態１に係る「断熱性を有する窓の遮蔽構造」においては、第１の開口部端縁１１ａと第２の開口部端縁１１ｂの一端が遮蔽部材１０の「上辺部１０ａ」側に、他端が遮蔽部材１０の「下辺部１０ｂ」側に、延びるように遮蔽部材の「左辺部１０ｄ」および「右辺部１０ｃ」間の略中央に直線状に配設され、且つ、窓の開閉手段である鍵３１などを露出させる部位に対応していてもよい。
【００３５】
図５（Ａ）は、遮蔽部材１０を取付ける前の状態を説明する外観斜視図である。図５（Ｂ）は、遮蔽部材１０を取付けた後の状態を説明する外観斜視図である。
【００３６】
以下、図５を参照して、実施の形態１に係る「断熱性を有する窓の遮蔽構造」における遮蔽部材を取り付ける工程について説明する。
【００３７】
図５（Ａ）の「遮蔽部材１０を取付ける前の状態」においては、実施の形態１に係る「断熱性を有する窓の遮蔽構造」は形成されていないため、太陽からの熱が蓄積させることはできず、図５（Ｂ）の「遮蔽部材１０を取付けた後の状態」と比較して、「寒い時期」においては、窓ガラスの表面に生じる結露に伴う水滴の発生や、室温低下になる。また、「真夏の時期」においては、室温上昇になる。
【００３８】
実施の形態１の遮蔽部材１０を取り付ける工程としては、「第１段階」として、固定テープ１６を額縁２０の額縁端面２４に対して貼る。
固定テープ１６である両面テープは、額縁２０の上額縁部２０ａ、右額縁部２０ｃ及び左額縁部２０ｄの中心軸線に沿って貼られる。
遮蔽部材１０のシート本体１１の上辺部１０ａは、額縁２０の上額縁部２０ａの中心軸線に沿って、シート本体１１の右辺部１０ｃからシート本体１１の左辺部１０ｄに亘って連続して貼られる。
遮蔽部材１０のシート本体１１の左辺部１０ｄは、額縁２０の左額縁部２０ｄの中心軸線に沿って、シート本体１１の上辺部１０ａからシート本体１１の下辺部１０ｂに亘って連続して貼られる。
遮蔽部材１０のシート本体１１の右辺部１０ｃは、額縁２０の右額縁部２０ｃの中心軸線に沿って、シート本体１１の上辺部１０ａからシート本体１１の左辺部１０ｄに亘って連続して貼られる。
「第２段階」として、シート本体１１を、額縁２０の額縁端面２４の表面上に形成した固定テープ１６に対して貼る。
遮蔽部材１０は、シート本体１１の上辺部１０ａの近傍の外側面が、額縁２０の上額縁部２０ａの額縁端面２４に、シート本体１１の右辺部１０ｃからシート本体１１の左辺部１０ｄに亘って連続して貼着される。
遮蔽部材１０は、シート本体１１の左辺部１０ｄの近傍の外側面が額縁２０の左額縁部２０ｄの額縁端面２４に、シート本体１１の上辺部１０ａからシート本体１１の下辺部１０ｂに亘って連続して貼着される。
遮蔽部材１０は、シート本体１１の右辺部１０ｃの近傍の外側面が額縁２０の右額縁部２０ｃの額縁端面２４に、シート本体１１の上辺部１０ａからシート本体１１の下辺部１０ｂに亘って連続して貼着される。
「第３段階」として、補強部材である「接着テープ１７」を「Ｌ字型」になるように上額縁部２０ａの額縁主面２２と額縁端面２４に対して貼る。
接着テープ１７は、接着テープ１７の接着テープの接着剤層１７ｂの面の下半分を、その表面に仮着された接着テープの剥離紙１７ｃを剥離した後、シート本体１１の外側に添わせて、貼着される。
接着テープ１７は、接着テープ１７の接着テープの接着剤層１７ｂの面の上半分を、その表面に仮着された接着テープの剥離紙１７ｃを剥離した後、額縁２０の上額縁部２０ａの額縁主面２２に貼着する。
遮蔽部材１０のシート本体１１の上辺部１０ａは、額縁２０の上額縁部２０ａの額縁主面２２側の端縁に沿って、シート本体１１の右辺部１０ｃからシート本体１１の左辺部１０ｄに亘って連続して貼着される。
遮蔽部材１０のシート本体１１の左辺部１０ｄは、額縁２０の左額縁部２０ｄの額縁主面２２側の端縁に沿って、シート本体１１の上辺部１０ａからシート本体１１の下辺部１０ｂに亘って連続して貼着される。
遮蔽部材１０のシート本体１１の右辺部１０ｃは、額縁２０の右額縁部２０ｃの額縁主面２２側の端縁に沿って、シート本体１１の上辺部１０ａからシート本体１１の下辺部１０ｂに亘って連続して貼着される。
【００３９】
図６は、実施の形態１に係る「断熱性を有する窓の遮蔽構造」における遮蔽部材１０のファスナーが閉じた状態を示す正面図である。図１２は、実施の形態１に係る「断熱性を有する窓の遮蔽構造」における遮蔽部材１０のファスナーが開いた状態を示す正面図である。
【００４０】
以下、図６と図１２を参照して、実施の形態１に係る「断熱性を有する窓の遮蔽構造」における遮蔽部材の開閉手順について説明する。
【００４１】
実施の形態１に係る「断熱性を有する窓の遮蔽構造」における遮蔽部材１０において、「ファスナー１２が閉じた状態」から「ファスナー１２が開いた状態」にして「窓３０を開ける」手順について説明する。
「第１の段階」として、実施の形態１に係る遮蔽部材１０の「ファスナー１２が閉じた状態」において、面ファスナー１８のフック１８ａをループ１８ｂから剥がす。これにより、シート本体１１が下額縁部２０ｂから剥がれるため、遮蔽部材１０の下辺部１０ｂにおいてシート本体１１と下額縁部２０ｂの間に隙間が生じる。
「第２の段階」として、レール型のスライドファスナー１２におけるスライダー５０を連結部１４まで引き上げると、シート本体１１が左右方向に開く。
「第３の段階」として、左右方向に大きく開いたシート本体１１の間から窓３０の鍵３１のロックを解除して窓３０の扉を簡単に開けることができる。
【００４２】
これに対し、実施の形態１に係る「断熱性を有する窓の遮蔽構造」における遮蔽部材１０において、「窓３０を閉じて」「ファスナー１２が開いた状態」から「ファスナー１２が閉じた状態」にするための手順について説明する。
「第１の段階」として、左右方向に大きく開いたシート本体１１の間から窓３０の扉をしめ、窓３０の鍵３１をロックする。
「第２の段階」として、レール型のスライドファスナー１２におけるスライダー５０を連結部１４まで引き下げると、シート本体１１が中央部に閉じるため、外気からの熱が断熱層４０に蓄積されることになり、「断熱性が確保」されることになる。
「第３の段階」として、面ファスナー１８のフック１８ａをループ１８ｂに押し付けて、「フック１８ａ」と「ループ１８ｂ」を結合させる。これにより、シート本体１１が下額縁部２０ｂに取付けられるため、「断熱性を有する窓の遮蔽構造」の断熱層４０に外気からの熱が蓄熱され「断熱性が確保」されることになる。
【００４３】
図７と図８と図９と図１０は、それぞれ実施の形態１に係る遮蔽部材のファスナーをシート本体１１に取り付けていく工程を説明するための図である。
図７は、シート本体の第１のシート片および第２のシート片を示す平面図である。
図８（Ａ）は、図７に示すシート本体の対向する第１のシート片および第２のシート片の開口部端縁に、それぞれ、第１レールの左側レールおよび第２レールの右側レールを形成した状態を示す平面図であり、図８（Ｂ）は、（Ａ）の線Ｂ−Ｂにおける端面図である。
図９（Ａ）は、図８に示す第１のシート片の第１レールの左側レールおよび第２のシート片の第２レールの右側レール間に、連結部およびスライダーを取り付けた状態を示す平面図であり、図９（Ｂ）は、その連結部およびスライダーを取り付ける工程の一例を示す要部拡大平面図である。
【００４４】
以下、図７と図８と図９と図１０を参照して、実施の形態１に係る遮蔽部材のファスナーをシート本体１１に取り付けていく工程を説明していく。
【００４５】
まず、図７に示すように、ファスナーの取り付け前の準備段階における２枚のシート片である第１のシート片１１Ａと第２のシート片１１Ｂを準備する。
次に、図８に示すように、「第１のシート片１１Ａ」の「開口辺部１０１ｃ」に「レール型のスライドファスナー１２」の「レール５８」を形成し、「第２のシート片１１Ｂ」の「開口辺部１１０ｄ」に「レール型のスライドファスナー１２」の「レール５８」を形成する。
「第１のシート片１１Ａ」に形成した「レール５８」と直交するように形成された「フランジ５９」の室内側の面の表面上にシート本体１１を載せて溶着させることで、フランジ５９とシート本体１１とが互いに隙間なく結合される。フランジ５９の室内側の面は、垂直方向に伸びており、シート本体１１を垂直方向に展開する。
次に、図９に示すように、第１のシート片１１Ａと第２のシート片１１Ｂの表面上に形成したレールに対して、スライダーを通して、連結部において第１のシート片１１Ａと第２のシート片１１Ｂを結合させる。
最後に、図１０に示すように、Ｕ字状の「滑落防止テープ１５」を第１シート片１１Ａの開口辺部１０１ｃに形成した「レール型のスライドファスナー１２」の「レール５８」を挟み込む形で、第１シート片１１Ａの開口辺部１０１ｃと下辺部１０１ｂとが互いに直交する部位に形成する。
【００４６】
図１１は、実施の形態１に係る「断熱性を有する窓の遮蔽構造」における遮蔽部材のファスナーのスライダーをレールに沿って移動させ、遮蔽部材を開いていく状態を説明するための図であって、（Ａ）は要部正面図であり、（Ｂ）はファスナーを開いた状態の要部正面図であり、（Ｃ）はその要部外観斜視図であり、（Ｄ）は（Ａ）の線Ｄ−Ｄの要部拡大端面図である。
【００４７】
以下、図１１を参照して、ファスナーのスライダーをレールに沿って移動させ、実施の形態１に係る「断熱性を有する窓の遮蔽構造」における遮蔽部材１０を開いていく状態を説明していく。
【００４８】
図１１（Ａ）のＤにおいては、実施の形態１に係る「断熱性を有する窓の遮蔽構造」における遮蔽部材１０のファスナー１２が完全に閉じられた状態においてはスライダー５０の「胴体５２」内部において「第１レールの左側レール５８ａ」と「第２レールの右側レール５８ｂ」が互いに結合し、ファスナー１２が完全に閉じた状態になる。
その後、スライダー５０の「引き手５６」を親指と人差し指で握ることでスライダー５０の「柱５４」を立ち上がらせ、スライダー５０がレール５８上を移動することにより、スライダー５０の胴体５２内部において互いに結合されていた「第１レールの左側レール５８ａ」と「第２レールの右側レール５８ｂ」との結合が解除されていく。その結果、「第１レールの左側レール５８ａ」と「第２レールの右側レール５８ｂ」が開いて遮蔽部材１０のファスナー１２が完全に開いた状態になっていく。
【００４９】
実施の形態１に係る「断熱性を有する窓の遮蔽構造」においては、窓３０と遮蔽部材１０との空間領域に断熱層４０を設けたことにより、断熱層４０に熱が蓄積されるため「断熱性を確保」すると共に、遮蔽部材１０の表面上に開閉手段を設けたことにより、左右に大きく開いた遮蔽部材１０を介して窓３０の開閉を「手間を掛けることなく簡便に」行うことができる。
【００５０】
（実施の形態１の変形例１）
（実施の形態１の変形例１に係る「断熱性を有する窓の遮蔽構造」）
【００５１】
図１３は、実施の形態１の変形例１に係る遮蔽部材のファスナーが開いた状態を説明するための正面図である。
【００５２】
以下、図１３を参照して、実施の形態１の変形例１に係る「断熱性を有する窓の遮蔽構造」における遮蔽部材を取付けた状態と実施の形態１の変形例１に係る「断熱性を有する窓の遮蔽構造」について説明する。
【００５３】
実施の形態１の変形例１は、実施の形態１に係る「断熱性を有する窓の遮蔽構造」において、遮蔽部材１０の上辺部１０ａの中央点と下辺部１０ｂの中央点を結ぶ位置にシート本体１１の開閉手段である「レール型のスライドファスナー１２」を形成し、「レール型のスライドファスナー１２」が、スライダー５０を上辺部１０ａから下辺部１０ｂに向けて移動させることでシート本体１１が開いていくものである。
【００５４】
実施の形態１の変形例１の構造について下記に説明する。
室内側から見て、第１のシート片１１Ａは、左方に位置し高さ方向に長く伸び、第２のシート片１１Ｂは、右方に位置し高さ方向に長く伸び、左方の第１のシート片１１Ａと右方の第２のシート片１１Ｂとの間に垂直方向にレール型のスライドファスナー１２が伸びる。
実施の形態１の第１のシート片１１Ａを構成する第１のシート片の下辺部１０１ｂは、実施の形態１の変形例１において下額縁部２０ｂの額縁主面２２および額縁端面２４に「固定テープ１６」と「接着テープ１７」により固着される。
実施の形態１の第１のシート片１１Ａを構成する第１のシート片の左辺部１０１ｄは、実施の形態１の変形例１において左額縁部２０ｄの額縁端面２４に固定テープ１６により固着される。
実施の形態１の第１のシート片１１Ａを構成する第１のシート片の上辺部１０１ａは、実施の形態１の変形例１において上額縁部２０ａの額縁端面２４に面ファスナー１８により係合固定される。
実施の形態１の第２のシート片１１Ｂを構成する第２のシート片の下辺部１１０ｂは、実施の形態１の変形例１において下額縁部２０ｂの額縁端面２４に「固定テープ１６」と「接着テープ１７」により固着される。
実施の形態１の第２のシート片１１Ｂを構成する第２のシート片の右辺部１１０ｃは、実施の形態１の変形例１において右額縁部２０ｃの額縁端面２４に固定テープ１６により固着される。
実施の形態１の第２のシート片１１Ｂを構成する第２のシート片の上辺部１１０ａは、上額縁部２０ａの額縁端面２４に面ファスナー１８により係合固定される。
実施の形態１の変形例１に係る「断熱性を有する窓の遮蔽構造」において、「レール型のスライドファスナー１２」をシート本体１１に取り付ける際は、第１レールと第２レールとを連結した「連結部１４」より上方において、スライダー５０を上辺部１０ａ側から下辺部１０ｂ側に向けて移動させることでシート本体１１が開いていくように、「第１のシート片１１Ａ」の開口辺部１０１ｃの上端部と、「第２のシート片１１Ｂ」の開口辺部１１０ｄの上端部とを互いに連結させて、室内側に取り付ける。
【００５５】
実施の形態１の変形例１に係る「断熱性を有する窓の遮蔽構造」においては、窓３０と遮蔽部材１０との空間領域に断熱層４０を設けているため「断熱性を確保」すると共に、スライダー５０を上辺部１０ａから下辺部１０ｂに向けて移動させたことにより、動作的に膝を屈みこむことがないため、実施の形態１に係る「断熱性を有する窓の遮蔽構造」に比べて、さらに窓３０の開閉を「手間を掛けることなく簡便に」行うことができる。
【００５６】
（実施の形態１の変形例２）
（実施の形態１の変形例２に係る「断熱性を有する窓の遮蔽構造」）
【００５７】
図１４は、実施の形態１の変形例２に係る遮蔽部材のファスナーが開いた状態を説明するための正面図である。
【００５８】
以下、図１４を参照して、実施の形態１の変形例２に係る「断熱性を有する窓の遮蔽構造」における遮蔽部材を取付けた状態と実施の形態１の変形例２に係る「断熱性を有する窓の遮蔽構造」について説明する。
【００５９】
実施の形態１の変形例２は、実施の形態１に係る「断熱性を有する窓の遮蔽構造」において、シート本体１１の右辺部１０ｃの中央点と左辺部１０ｄの中央点を結ぶ位置にシート本体１１の開閉手段である「レール型のスライドファスナー１２」を形成し、「レール型のスライドファスナー１２」が、スライダー５０を左辺部１０ｄから右辺部１０ｃに向けて移動することでシート本体１１が開いていくものである。
【００６０】
実施の形態１の変形例２は、実施の形態１に係る「断熱性を有する窓の遮蔽構造」において、遮蔽部材１０を９０度回転させて、窓３０の額縁２０に固定されている。以下、その構造について説明する。
室内側から見て、第１のシート片１１Ａは、上方に位置し横手方向に長く伸び、第２のシート片１１Ｂは、下方に位置し横手方向に長く伸び、上方の第１のシート片１１Ａと下方の第２のシート片１１Ｂとの間に水平方向にレール型のスライドファスナー１２が伸びる。
実施の形態１に係る第１のシート片１１Ａを構成する第１のシート片の左辺部１０１ｄは、実施の形態１の変形例２において上額縁部２０ａの額縁主面２２および額縁端面２４に「固定テープ１６」と「接着テープ１７」により固着される。
実施の形態１に係る第１のシート片１１Ａを構成する第１のシート片の上辺部１０１ａは、実施の形態１の変形例２において右額縁部２０ｃの額縁端面２４に固定テープ１６により固着される。
実施の形態１に係る第１のシート片１１Ａを構成する第１のシート片の下辺部１０１ｂは、実施の形態１の変形例２において左額縁部２０ｄの額縁端面２４に面ファスナー１８により係合固定される。
実施の形態１に係る第２のシート片１１Ｂを構成する第２のシート片の右辺部１１０ｃは、実施の形態１の変形例２において下額縁部２０ｂの額縁端面２４に「固定テープ１６」により固着される。
実施の形態１に係る第２のシート片１１Ｂを構成する第２のシート片の上辺部１１０ａは、実施の形態１の変形例２において右額縁部２０ｃの額縁端面２４に固定テープ１６により固着される。
実施の形態１に係る第２のシート片１１Ｂを構成する第２のシート片の下辺部１１０ｂは、実施の形態１の変形例２において左額縁部２０ｄの額縁端面２４に面ファスナー１８により係合固定される。
実施の形態１の変形例２に係る「断熱性を有する窓の遮蔽構造」において、「レール型のスライドファスナー１２」をシート本体１１に取り付ける際は、第１レールと第２レールとを連結した「連結部１４」より下方において、スライダー５０を左辺部１０ｄ側から右辺部１０ｃ側に向けて移動させることでシート本体１１が開いていくように、「第１のシート片１１Ａ」の開口辺部１０１ｃの上端部と、「第２のシート片１１Ｂ」の開口辺部１１０ｄの上端部とを互いに連結させて、室内側に取り付ける。
【００６１】
実施の形態１の変形例２に係る「断熱性を有する窓の遮蔽構造」においては、窓３０と遮蔽部材１０との空間領域に断熱層４０を設けているため「断熱性を確保」すると共に、スライダー５０を窓３０の開閉手段である鍵３１の高さ位置に合わせ、かつスライダー５０を左辺部１０ｄから右辺部１０ｃに向けて移動させたことにより、左窓即ち、左辺部１０ｄ方向の窓を常に開閉する場合においては、実施の形態１に係る「断熱性を有する窓の遮蔽構造」に比べて、さらに窓３０の開閉を「手間を掛けることなく簡便に」行うことができる。
【００６２】
（実施の形態１の変形例３）
（実施の形態１の変形例３に係る「断熱性を有する窓の遮蔽構造」）
【００６３】
図１５は、実施の形態１の変形例３に係る遮蔽部材のファスナーが開いた状態を説明するための正面図である。
【００６４】
以下、図１５を参照して、実施の形態１の変形例３に係る「断熱性を有する窓の遮蔽構造」における遮蔽部材を取付けた状態と実施の形態１の変形例３に係る「断熱性を有する窓の遮蔽構造」について説明する。
【００６５】
実施の形態１の変形例３は、実施の形態１に係る「断熱性を有する窓の遮蔽構造」において、シート本体１１の右辺部１０ｃの中央点と左辺部１０ｄの中央点を結ぶ位置にシート本体１１の開閉手段である「レール型のスライドファスナー１２」を形成し、「レール型のスライドファスナー１２」が、スライダー５０を右辺部１０ｃから左辺部１０ｄに向けて移動することでシート本体１１が開いていくものである。
【００６６】
実施の形態１の変形例３は、実施の形態１に係る「断熱性を有する窓の遮蔽構造」において、遮蔽部材１０を９０度回転させて、窓３０の額縁２０に固定されている。以下、その構造について説明する。
室内側から見て、第１のシート片１１Ａは、上方に位置し横手方向に長く伸び、第２のシート片１１Ｂは、下方に位置し横手方向に長く伸び、上方の第１のシート片１１Ａと下方の第２のシート片１１Ｂとの間に水平方向にレール型のスライドファスナー１２が伸びる。
実施の形態１に係る第１のシート片１１Ａを構成する第１のシート片の左辺部１０１ｄは、実施の形態１の変形例３において上額縁部２０ａの額縁主面２２および額縁端面２４に「固定テープ１６」と「接着テープ１７」により固着される。
実施の形態１に係る第１のシート片１１Ａを構成する第１のシート片の上辺部１０１ａは、実施の形態１の変形例３において右額縁部２０ｃの額縁端面２４に固定テープ１６により固着される。
実施の形態１に係る第１のシート片１１Ａを構成する第１のシート片の下辺部１０１ｂは、実施の形態１の変形例３において左額縁部２０ｄの額縁端面２４に面ファスナー１８により係合固定される。
実施の形態１に係る第２のシート片１１Ｂを構成する第２のシート片の右辺部１１０ｃは、実施の形態１の変形例３において下額縁部２０ｂの額縁端面２４に固定テープ１６により固着される。
実施の形態１に係る第２のシート片１１Ｂを構成する第２のシート片の上辺部１１０ａは、実施の形態１の変形例３において右額縁部２０ｃの額縁端面２４に固定テープ１６により固着される。
実施の形態１に係る第２のシート片１１Ｂを構成する第２のシート片の下辺部１１０ｂは、実施の形態１の変形例３において左額縁部２０ｄの額縁端面２４に面ファスナー１８により係合固定される。
実施の形態１の変形例３に係る「断熱性を有する窓の遮蔽構造」において、「レール型のスライドファスナー１２」をシート本体１１に取り付ける際は、第１レールと第２レールとを連結した「連結部１４」より下方において、スライダー５０を右辺部１０ｃ側から左辺部１０ｄ側に向けて移動させることでシート本体１１が開いていくように、「第１のシート片１１Ａ」の開口辺部１０１ｃの上端部と、「第２のシート片１１Ｂ」の開口辺部１１０ｄの上端部とを互いに連結させて、室内側に取り付ける。
【００６７】
実施の形態１の変形例３に係る「断熱性を有する窓の遮蔽構造」においては、窓３０と遮蔽部材１０との空間領域に断熱層４０を設けているため「断熱性を確保」すると共に、スライダー５０を窓３０の開閉手段である鍵３１の高さ位置に合わせ、かつスライダー５０を右辺部１０ｃから左辺部１０ｄに向けて移動させたことにより、右窓即ち、右辺部１０ｃ方向の窓を常に開閉する場合においては、実施の形態１に係る「断熱性を有する窓の遮蔽構造」に比べて、さらに窓の開閉を「手間を掛けることなく簡便に」行うことができる。
【００６８】
（実施の形態２）
（実施の形態２に係る「断熱性を有する窓の遮蔽構造」）
【００６９】
図１６は、実施の形態２に係る「断熱性を有する窓の遮蔽構造」における遮蔽部材を取付けた後の状態を説明するための断面図である。
【００７０】
以下、図１６を参照して、実施の形態２に係る「断熱性を有する窓の遮蔽構造」において、遮蔽部材を取付けた後の状態について説明する。
【００７１】
実施の形態２に係る「断熱性を有する窓の遮蔽構造」は、上額縁部２０ａの額縁主面２２と額縁端面２４に対し「コの字型」に折り曲げたシート本体１１を、上額縁部２０ａの額縁主面２２と額縁端面２４に対し「コの字型」に取付けた固定テープ１６を介して取り付け、その上から額縁２０の額縁主面２２と額縁端面２４の方向に「コの字型」の弾性体の「補強部材４４」を取付けたものである。
【００７２】
「補強部材４４」は、例えば短形の基部４４ａを含み、基部４４ａの長さ方向の両端に挟持片４４ｂ、４４ｃが形成される。４４ａ、４４ｂ、４４ｃは弾性材料で一体的に形成された成形品である。挟持片４４ｂ、４４ｃは、挟持方向に付勢されている。
【００７３】
実施の形態２に係る「断熱性を有する窓の遮蔽構造」における遮蔽部材１０は、取付手段である「固定テープ１６」と補強部材である「補強部材４４」を介して「コの字型」に取り付けたことにより、実施の形態１に係る「断熱性を有する窓の遮蔽構造」における遮蔽部材１０の接着テープ１７に比べ、「さらに」「遮蔽性を確保」すると共に、取付強度が高くなるため、シート本体１１の表面上に形成した「レール型のスライドファスナー１２」のスライダー５０を移動させる際に、上額縁部２０ａに取付けたシート本体１１が剥がれるおそれがない。
【００７４】
（実施の形態２の変形例）
（実施の形態２の変形例に係る「断熱性を有する窓の遮蔽構造」）
【００７５】
実施の形態２の変形例は、図１６に示す実施の形態２に係る「断熱性を有する窓の遮蔽構造」において、補強部材４４に対して、例えば上額縁部２０ａの額縁主面２２および額縁端面２４側を画鋲で留めたものである。（図示せず）
実施の形態２の変形例は、実施の形態２に係る「断熱性を有する窓の遮蔽構造」に比べて、「さらに一層」「断熱性を確保」すると共に、遮蔽部材の取付強度が高くなる。
【００７６】
（実施の形態３）
（実施の形態３に係る「断熱性を有する窓の遮蔽構造」
図１７は、実施の形態３に係る「断熱性を有する窓の遮蔽構造」における遮蔽部材を取付けた後の状態を説明するための断面図である。
【００７７】
以下、図１７を参照して、実施の形態３に係る「断熱性を有する窓の遮蔽構造」における遮蔽部材を取付けた後の状態について説明する。
実施の形態３に係る「断熱性を有する窓の遮蔽構造」は、画鋲４２によって上額縁部２０ａの額縁端面２４に支持されている固定テープ１６と成形品を介してシート本体１１を上額縁部２０ａの額縁端面２４に支持させたものである。
【００７８】
「上額縁部２０ａ」において、「シート本体１１の一方の面」は固定テープ１６を介して上額縁部２０ａの額縁端面２４を支持するのに対し、「シート本体１１の他方の面」は上額縁部２０ａの額縁主面２２上において固定テープの接着剤層１６ｂと貼付関係にあるＬ字型の補強部材４５によって上額縁部２０ａの額縁端面２４側を支持する。そして、補強部材４５が画鋲４２によって上額縁部２０ａに対して支持されている。
実施の形態３に係る「断熱性を有する窓の遮蔽構造」における遮蔽部材１０を取付けた後の状態にするには、「第１段階」として、固定テープ１６を上額縁部２０ａの額縁主面２２と額縁端面２４に対し「Ｌ字型」に貼り付ける。「第２段階」として、上額縁部２０ａの額縁主面２２上において固定テープの接着剤層１６ｂと貼付関係にあるＬ字型の補強部材４５によって上額縁部２０ａの額縁端面２４側を支持する。「第３段階」として、画鋲４２の針を補強部材４５を介して上額縁部２０ａの額縁主面２２上に対し刺し込む。
【００７９】
実施の形態３に係る「断熱性を有する窓の遮蔽構造」における遮蔽部材１０においては、取付手段である「固定テープ１６」と「補強部材４５」と「画鋲４２」とが存在することになり、実施の形態１と実施の形態２に係る遮蔽部材に比べ、「より一層」「遮蔽性を確保」すると共に、取付強度が高くなるため、シート本体１１の表面上に形成した「レール型のスライドファスナー１２」のスライダーを移動させた際に、上額縁部２０ａに取付けたシート本体１１が剥がれるおそれもない。
なお、画鋲４２は「成形品４５」と「固定テープ１６」を介して上額縁部２０ａに押し付けるため、上額縁部２０ａが木材や石膏ボードなど画鋲４２の針を刺し込むできる部材であることが必要とされる。
【００８０】
実施の形態２と実施の形態３に係る「断熱性を有する窓の遮蔽構造」においても、実施の形態１に係る「断熱性を有する窓の遮蔽構造」と同様の効果を有し、窓３０の開閉を「手間をかけることなく簡便に」行うことができる。
【００８１】
以上、本発明を具体的な実施の形態によって詳細に説明したが、これらの実施の形態は、本発明を具体的に説明するためのものに過ぎない。本発明に係る窓３０の遮蔽構造は、これらの実施の形態に限定されず、本発明の技術的思想の内において、当該分野における通常の知識を有する者によって多様な変形および改良が可能である。
【００８２】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【産業上の利用可能性】
【００８３】
本発明は、「断熱性を有する窓の遮蔽構造」において、窓３０と遮蔽部材１０との空間領域に断熱層４０を設けたため「断熱性を確保」すると共に、遮蔽部材１０の表面上に開閉手段を設けたため、窓３０の開閉を「手間を掛けることなく簡便に」行うことができる、「断熱性を有する窓の遮蔽構造」に適用可能である。
【符号の説明】
【００８４】
１０            遮蔽部材
１０ａ          シート本体の上辺部
１０ｂ          シート本体の下辺部
１０ｃ          シート本体の右辺部
１０ｄ          シート本体の左辺部
１０１ａ        第１のシート片の上辺部
１０１ｂ        第１のシート片の下辺部
１０１ｃ        第１のシート片の開口辺部
１０１ｄ        第１のシート片の左辺部
１１０ａ        第２のシート片の上辺部
１１０ｂ        第２のシート片の下辺部
１１０ｃ        第２のシート片の右辺部
１１０ｄ        第２のシート片の開口辺部
１１            シート本体
１１Ａ          第１のシート片１１Ａ
１１Ｂ          第２のシート片１１Ａ
１１ａ          第１の開口部端縁
１１ｂ          第２の開口部端縁
１２            ファスナー
１４            連結部
１５            滑落防止テープ
１６            固定テープ
１６ａ          固定テープの基材
１６ｂ          固定テープの接着剤層
１６ｃ          固定テープの剥離紙
１７            接着テープ
１７ａ          接着テープの基材
１７ｂ          接着テープの接着剤層
１７ｃ          接着テープの剥離紙
１８            面ファスナー
１８ａ          フック
１８ｂ          ループ
２０            額縁
２０ａ          上額縁部
２０ｂ          下額縁部
２０ｃ          右額縁部
２０ｄ          左額縁部
２２            額縁主面
２４            額縁端面
３０            窓
３０ａ          窓の上辺部
３０ｂ          窓の下辺部
３０ｃ          窓の右辺部
３０ｄ          窓の左辺部
３１            鍵
３２            窓枠
３４            カーテンレール
３６            カーテン
４０            断熱層
４２            画鋲
４４            補強部材（コの字型 弾性アリ）
４４ａ          基部
４４ｂ、４４ｃ  挟持片
４５            他の補強部材（Ｌ字型）
５０            スライダー
５２            胴体
５４            柱
５６            引き手
５８            レール
５８ａ          第１レールの左側レール
５８ｂ          第２レールの右側レール
５９            フランジ
【図１】
0006425616.tif 000002
【図２】
0006425616.tif 000003
【図３】
0006425616.tif 000004
【図４】
0006425616.tif 000005
【図５】
0006425616.tif 000006
【図６】
0006425616.tif 000007
【図７】
0006425616.tif 000008
【図８】
0006425616.tif 000009
【図９】
0006425616.tif 000010
【図１０】
0006425616.tif 000011
【図１１】
0006425616.tif 000012
【図１２】
0006425616.tif 000013
【図１３】
0006425616.tif 000014
【図１４】
0006425616.tif 000015
【図１５】
0006425616.tif 000016
【図１６】
0006425616.tif 000017
【図１７】
0006425616.tif 000018
【図１８】
0006425616.tif 000019
【図１９】
0006425616.tif 000020